(57)【要約】      （修正有）【課題】枠材を使用する必要のない木質系置き床材を提供する。【解決手段】複数の短冊状木材片による「意匠材」２０Ａの裏面に、短冊状木材片による「受け材」１０Ａを，その一端が「意匠材」２０Ａから突出して凸実１０’、１１’、１２’を、他端は「意匠材」２０Ａより短くして凹実１０”、１１”、１３’をそれぞれ形成するように固着する。これら凸実１０’、１１’、１２’と凹実１０”、１１”、１３’を適宜組合せることにより、床全体を所望の模様に構成する。【選択図】図１
2007126949.tif 000002
【特許請求の範囲】
【請求項１】
所定の板厚で、且つ縦横同寸法より成る正方形の木質系板材と、当該木質系板材の裏面にあって、上記木質系板材の実（さね）構造を構成する少なくとも３本の長方形実（さね）構成材とで構成され、前記正方形の木質系板材の裏面に物理的取り付けられる３本の長方形実（さね）構成材の取り付け位置関係を以下の様に定めたことを特徴とする置き床材。１、前記長方形実（さね）構成材のうちの２本の長方形実（さね）構成材の長辺は、前記木質系板材の一辺と同一寸法に形成され、且つ正方形の木質系板材の４辺のうちの１辺に対し実（さね）嵌合凸部を形成するよう所定の間隔にて配置されていること。２、他の長方形実（さね）構成材の１本は、前記２本の長方形実（さね）構成材が実（さね）嵌合凸部を形成している木質系板材の一辺と角度を９０°異にする他の１辺に、やはり、実（さね）嵌合凸部を形成するよう配置されていること。
【請求項２】
請求項１に記載の正方形の木質系板材が、一枚板にて形成されているか、或いは、長方形で複数本の木材種にて形成されていることを特徴とする置き床材。
【請求項３】
請求項１に記載の正方形の木質系板材が、製材品、集成材、合板、ＬＶＬ、パーチクルボード、ＭＤＦ、の何れかにより構成されていることを特徴とする置き床材。
【発明の詳細な説明】
【技術分野】
【０００１】  本発明は、建築物のスラブ面等に単に設置するだけで木質系の床材を形成することができる木質系・置き床材に関するものである。
【背景技術】
【０００２】  従来、マンション等におけるベランダ或いは建築物等のコンクリートスラブ面等に、コンクリート或いはモルタル下地面に直接設置するだけで木質系の床材を形成することができる、いわゆる木質系・置き床形式の床材が多く見られるようになってきた。そして、これら置き床形式の床材の代表的な構造は、合成樹脂もしくは金属を用いて矩形の枠材を作り、当該枠材の中に短冊状に加工された木質系成形板材をビス等で物理的に固定し木質系・置き床材を形作るものが一般的であり、その設置方法は、コンクリートスラブ面等に木質系・置き床材同士を縦横並列に並べ接合し、隣接する木質系・置き床材同士を連結して木質系・置き床材を形成するタイプが一般的であった。【０００３】  しかしながら、これら従来の木質系・置き床材は、合成樹脂或いは金属等の枠材を使うのが一般的であって、この枠製作に金型代を含むコストがかかるばかりでなく、様々な床施工場所に合わせた床施工において木質系・置き床材を納まりに応じて切断する場合には、当該木質系・置き床材に付帯する合成樹脂製或いは金属製の枠材をも切断するする必要があり、特に金属製の枠材の場合には木質材切断用の丸鋸以外に別途金属切断用の工具を用意しなければならないという不都合があった。また一方、枠材を使用する問題点として、木質系・置き床材を施工する床下地面に生じている大小様々な凹凸の不陸に当該枠材が当不陸を吸収することができず、置き床材の据わりが悪く不安定となる問題点も見られた。
【発明の開示】
【発明が解決しようとする課題】
【０００４】  本発明は、従来の木質系・置き床材に見られる枠材の機能・構造を抜本手的に見直したもので、従来の木質系・置き床材における枠材を一切使用せず、枠材に変わり得る新たな概念の木質系床成形板材の「受け材」を発想し、本発明をなし得ることが可能となった。
【課題を解決するための手段】
【０００５】  以下、本発明に係る短冊状木質系床成形板材の「受け材」の概略及びその構成・特徴等について、その詳細を図１に基づき説明する。【０００６】  本発明に係る短冊状木質系床成形板材よりなる短冊状木材片２０Ａの「受け材」１０Ａの概略及びその構成は図１に示す通りであって、「受け材」１０Ａは、矩形形状に加工された複数本から成る短冊状木材片１０、１１、１２、から成る短冊状木材片集合体によりが構成されている。そして、当該「受け材」１０Ａの上面には、複数本の同一形状の短冊状木材片２０、２１、２２、２３、２４、が所定の間隔を開けて当該「受け材」１０Ａを構成する集合体に直交するよう物理的に固着され意匠材層２０Ａが形成されている。さらには、前記意匠材層２０Ａの「受け材」１０Ａを構成する短冊状木材片１０、１１、１２の中の右最端部に配置されている１本の短冊状木材片１２は、他の短冊状木材片１０、１１より短尺に成形されていて、且つ、当該短冊状木材片１２の長辺の右側端部が前記意匠材層２０Ａの右側縁に対し突出し凸実（さね）部１２’を形成している。一方、他の短冊状木材片１０、１１の長尺側寸法は、意匠材層２０Ａを構成する短冊状木材片２０、２１、２２、２３、２４、の長尺側寸法と同一寸法乃至若干短めに設定された寸法にて形成されている。そして、前記凸実（さね）部１２’が形成されている木質系意匠材層２０Ａの右辺に対して直角上面には、凸実（さね）部１０’、１１’が形成されるよう、意匠材層２０Ａを構成する短冊状木材片２０、２１、２２、２３、２４、のそれぞれに、裏面より物理的に固定されている。また、短冊状木材片１０の左側端部には、前記意匠材層２０Ａの左辺に対する凹実（さね）部１３’、１３’、・・・が形成されている。なお、前記凸実（さね）部１０’、１１’が形成されている短冊状木材片１０、１１の他端部は、意匠材層２０Ａに対し当然乍ら凹実（さね）部１０”、１１”を形作っている。【０００７】  以上詳述の通り、意匠材層２０Ａの４辺に対する「受け材」１０Ａの実（さね）構成は、１辺が凸実（さね）構造であれば、その対辺は凹実（さね）構造となるよう構成されている。
【発明の効果】
【０００８】  以上説明したように、「受け材」１０Ａを構成し、当該「受け材」１０Ａに対して直角に配置されるよう木質系床形成板材である意匠材層２０Ａを配置し、そして、ビスまたは木工用ボンド或いはビス及び木工ボンド併用等にて物理的に固定することによって本発明に係る木質系・置き床材３０Ａが商品として形作られることとなる。そして、以上のような仕様に基づき、本発明に係る木質系・置き床材３０Ａを多数製作し、コンクリート等の床スラブ面に、木質系・置き床材３０Ａの４辺に形成されている木質系・置き床材３０Ａを適宜に縦・横連続して嵌合・配置して行くことによって、簡便に木質系・置き床材を設置することができる。また、工業的に数多く製作された木質系・置き床材３０Ａの凸実（さね）・凹実（さね）を適宜組み合わせれば、木質系・置き床材全体の意匠を市松模様或いは横模様と意匠の選択もできる。【０００９】  また、「受け材」１０Ａを構成する短冊状木材片１０、１１、１２、の各裏面に、例えばポリエチレン等の発砲体を裏打ちすることにより、コンクリートスラブの微少な不陸も吸収することが可能となり、コンクリートスラブ面に対する木質系・置き床材の据わりが改善されることとなる。【００１０】  一方、「受け材」１０Ａを構成する短冊状木材片１０、１１、１２、は木質系・置き床材の意匠層となる木質系・置き床材２０Ａの下部に配置され当該意匠材層により覆い隠されることとなる為に、当該短冊状木材片１０、１１、１２、は節や入り皮等、材木としての欠点材を使用することができる為、コストメリットが大きい。【００１１】  なお、以上に説明をした本発明においては、意匠材層２０Ａを短冊状木材片の集合体として説明してきたが、当該意匠材層２０Ａは短冊状木材片の集合体に限ることはなく、例えば、図４にその事例を示す通り木材のスライス単板より成る合板材を用いてもよいことは当然である。また、本発明においては、その主要用途を置き床材として説明してきたが、本発明に係る構成にて製作される置き床材をそのまま壁材或いは天井材としての用途に使用できることは、当然である。
【発明を実施するための最良の形態】
【００１２】  以下、本発明に係る代表的な各実施例にて本発明に係る木質系・置き床材の詳細を説明する。〔実施例１の（１）〕【００１３】  図２の（１）に示す実施例は短冊状加工された杉材を用いた木質系・置き床材の施工事例を示すもので、当事例は、各木質系・置き床材を互いに短冊状に加工された各杉材の長尺方向が直交するように連結させ、市松模様となるようセッティングした事例を示すものである。〔実施例１の（２）〕【００１４】  図２の（２）に示す事例は、短冊状加工された杉材の長尺方向を合わせるよう、各木質系・置き床材を縦横に連結しセッティングした事例を示すもので、床の全体的な模様としては横模様に構成された状態となっている。
【実施例２】
【００１５】  図３に示す実施例は、意匠材層２０Ａが２枚の矩形状の杉板材により構成し、それぞれの意匠材層２０Ａを相互に市松模様となるよう配置した事例を示すもので、「受け材」（図示せず）の構造・構成は図１に示すものと全く同一である。
【実施例３】
【００１６】  図４に示す実施例は、短冊状加工された杉材より成る意匠材層と、やはり杉の板目単板の合板より成る意匠材層とが千鳥模様となるよう構成した・置き床材の施工事例を示すもので、「受け材」（図示せず）の構造・構成は実施例２に示すものと全く同一である。
【図面の簡単な説明】
【００１７】
【図１】本発明に係る短冊状木質系床成形板材の「受け材」の概略及びその構成・特徴等について、その詳細を説明するためのものである。
【図２】
2007126949.tif 000003
【図３】本発明に係る第２の実施例を示す図である。
【図４】本発明に係る第３の実施例を示す図である。
【符号の説明】
【００１８】１０：短冊状木材片１１：短冊状木材片１２：短冊状木材片１０Ａ：「受け材」１０’：凸実（さね）部１１’：凸実（さね）部１２’：凸実（さね）部１０”：凹実（さね）部１１”：凹実（さね）部１３’：凹実（さね）部２０：短冊状木材片２１：短冊状木材片２２：短冊状木材片２３：短冊状木材片２４：短冊状木材片２０Ａ：意匠材層３０Ａ：木質系・置き床材
【図１】
2007126949.tif 000004
【図２】
2007126949.tif 000005
【図３】
2007126949.tif 000006
【図４】
2007126949.tif 000007